(57)【要約】【課題】書画等を可撓性シートで巻いた状態で簡便に携行できる書画等のホルダーを提供することである。【解決手段】  可撓性のシート１１の内面に書画等を広げ、これを内側にしてシート１１を円筒状に巻いて円筒巻き部２３を形成し、その円筒巻き部２３を留めバンド１２で留めるようにした書画等のホルダーにおいて、前記シート１１の巻き終わり側端辺２４ｂに沿った部分に係止用スリット２１を設け、その係止用スリット２１に鞄等の提げ手１９を挿通し、前記円筒巻き部２３を提げ手１９に係止した状態で鞄等を持つようにした。【選択図】図４
2011088428.tif 000002
【特許請求の範囲】
【請求項１】
可撓性のシート（１１）の内面に書画等（１３）を広げ、当該書画等（１３）を内側にして前記シート（１１）をその一端側から円筒状に巻いて円筒巻き部（２３）を形成し、その円筒巻き部（２３）を適宜な留め手段で留めるようにした書画等のホルダーにおいて、前記シート（１１）の巻き終わり側シート端辺（２４ｂ）に沿い、かつ鞄等（１８）の提げ手（１９）を挿通し得る長さの係止用スリット（２１）を設け、前記書画等（１３）を広げる範囲を当該シート（１１）の巻き始め側端辺（２４ａ）から前記係止用スリット（２１）の間に定め、その範囲のシート（１１）を書画等（１３）とともに巻いて前記の円筒巻き部（２３）を形成し、その円筒巻き部（２３）を前記の留め手段によって留めた状態で前記係止用スリット（２１）に鞄等（１８）の提げ手（１９）に挿通し、前記円筒巻き部（２３）をその提げ手（１９）に係止するようにしたことを特徴とする書画等のホルダー。
【請求項２】
前記円筒巻き部（２３）を留める手段が、前記シート（１１）の外面において前記係止用スリット（２１）から当該シート（１１）の巻き始め側（Ａ）に寄った位置に一端を固定した留めバンド（１２）と、その留めバンド（１２）の自由端部と固定端部に取り付けた面ファスナー要素（２２ａ）、（２２ｂ）により構成され、前記留めバンド（１２）の自由端部が前記係止用スリット（２１）を通してシート（１１）の内面側に引き出され、前記留めバンド（１２）を前記円筒巻き部（２３）の周りに巻いて前記面ファスナー要素（２２ａ）、（２２ｂ）を相互に結合して留めることを特徴とする請求項１に記載の書画等のホルダー。
【請求項３】
前記円筒巻き部（２３）を留める手段が、前記係止用スリット（２１）の中間部から前記シート（１１）の巻き終わり側端辺（２４ｂ）の方向に屈曲して形成された基部（２６）と、その基部（２６）の先端から逆Ｌ形に屈曲して側辺側へ延びた形状の差し込み片（２５）と、前記係止用スリット（２１）から当該シート（１１）の巻き始め側（Ａ）に寄った位置において前記巻き終わり側端辺（２４ｂ）に対して傾斜して形成された差し込み用スリット（３１）とによって構成され、前記差し込み片（２５）を前記差し込み用スリット（３１）に差し込んで留めることを特徴とする請求項１に記載の書類等のホルダー。
【請求項４】
前記係止用スリット（２１）を形成する内側切り目線（２１ａ）と外側切り目線（２１ｂ）は、前記基部（２６）と差し込み片（２５）の後端部（２７）を形成する部分において異形の切り抜き部（３０ａ）、及び前記基部（２６）と差し込み片（２５）の先端部（２９）を形成する部分において異形の切り抜き部（３０ｂ）を挟んでそれぞれ分離されていることを特徴とする請求項３に記載の書類等のホルダー。
【請求項５】
前記差し込み用スリット（３１）は、前記差し込み片（２５）の先端部（２９）の方向に至るに従い前記巻き終わり側端辺（２４ｂ）から次第に離れる傾斜を有し、前記差し込み用スリット（３１）の前記巻き終わり側端辺（２４ｂ）から最も遠く離れた終端点と、前記基部（２６）の前記差し込み片（２５）の先端部（２９）側の側辺の位置とが、前記巻き終わり側端辺（２４ｂ）と直角の基準線（Ｘ）上にあることを特徴とする請求項３又は４のいずれかに記載の書類等のホルダー。
【請求項６】
前記差し込み片（２５）の左右両端部とシート（１１）の左右の各側辺（３４）との間にそれぞれ差し込み係止片（３２）が当該シート（１１）を切り起こすことにより設けられ、前記各差し込み係止片（３２）は前記側辺（３４）に並行する基部（３６）と、その基部（３６）の前記巻き始め側端辺（２４ａ）側の端部から当該側辺（３４）側に屈曲した差し込み部（３７）とにより形成され、前記基部（３６）の巻き終わり側端辺（２４ｂ）に寄った位置に前記差し込み係止片（３２）の係止用スリット（３３）が設けられたことを特徴とする請求項３から５のいずれかに記載の書類等のホルダー。
【請求項７】
前記基部（３６）を形成する切目（３５ａ）、（３５ｂ）のうち当該側辺（３４）に近い方の切目（３５ａ）と、前記差し込み部（３７）とがなす角度αが鋭角であることを特徴とする請求項６に記載の書類等のホルダー。
【発明の詳細な説明】
【技術分野】
【０００１】  この発明は、書画、印刷物、図面等のように、比較的大きな用紙に所要事項が記載、印刷等されたものを携行する際に使用される書画等のホルダーに関するものである。
【背景技術】
【０００２】  書画等の作品を携行する場合、折り目や折り皺などを付けないようにするために、額縁に入れるか、同等以上の大きさの２枚の板に挟むなどの方法がとられる。しかし、いずれの方法も嵩張って持ち運びに不便である。このため書画等を円筒状に巻き、これを円筒形容器に入れて携行することが一般に行われている。賞状をこのような方法で携行することがよく知られている。【０００３】  書画等の比較的小サイズの場合は前記のような筒形容器でも左程不便はないが、Ａ３サイズを超える程度の大サイズのものになると、容器自体が大きくなるため肩バンドを付けたショルダー型の容器にせざるを得ないが、却って嵩張り、重量も増えるので携行に不便である。【０００４】  特に、時と場合によってサイズの異なる書画等を携行するような場合は、最大サイズのもの合わせたに円筒形容器しか持ち合わせていないと、小サイズの書画等であっても最大サイズの円筒形容器を持ち歩かなければならない不便がある。【０００５】  このような不便を解消すべく、１枚の可撓性のシートの内面に書画等を重ね、その書画等をシートと共に円筒状に巻き、巻き終わり端部を面ファスナーで留めるようにしたものが知られている（特許文献１）。また、可撓性シートを二つ折に折り重ね、重ねたシート間に書画等を挟んで円筒状に巻き、紐等で留めるようにしたものも知られている（特許文献２）。
【先行技術文献】
【特許文献】
【０００６】
【特許文献１】実開昭５５−５２８２号公報
【特許文献２】特開２００７−２８３７３６号公報
【発明の概要】
【発明が解決しようとする課題】
【０００７】  前記特許文献１及び２に開示されたホルダーは、いずれも軽便・安価であり、書画等の大きさに合わせたものを複数所有しても費用的に問題とならないメリットがある。【０００８】  しかし、円筒状に巻いた状態で携行する場合、鞄等の中に入り難く、無理に入れると変形して皺が付く恐れがある。また手に持って歩くことも不便であるため、提げ手の付いた紙袋等に入れて携行しなければならない不便がある。【０００９】  そこで、この発明は書画等を可撓性シートによって円筒状に巻いたものを便利に携行できるように工夫した書画等のホルダーを提供することを課題とする。
【課題を解決するための手段】
【００１０】  前記の課題を解決するために、この発明は、可撓性のシート１１の内面に書画等１３を広げ、当該書画等１３を内側にして前記シート１１をその一端側から円筒状に巻いて円筒巻き部２３を形成し、その円筒巻き部２３を適宜な留め手段で留めるようにした書画等のホルダーにおいて、前記シート１１の巻き終わり側シート端辺２４ｂに沿い、かつ鞄等１８の提げ手１９を挿通し得る長さの係止用スリット２１を設け、前記書画等１３を広げる範囲を当該シート１１の巻き始め端辺２４ａから前記係止用スリット２１の間に定め、その範囲のシート１１を書画等１３とともに巻いて前記の円筒巻き部２３を形成し、その円筒巻き部２３を留め手段によって留めた状態で前記係止用スリット２１を開いて鞄等１８の提げ手１９に挿通し、前記円筒巻き部２３をその提げ手１９に係止するようにしたものである。
【発明の効果】
【００１１】  この発明に係る書画等のホルダーは、可撓性のシートと、留めバンド等の留め手段のみによって構成されるので、低コストかつ軽量である利点がある。また、係止用スリットに鞄等の提げ手を挿通することにより、円筒巻き部を提げ手に係止した状態で携行できる便利さがある。
【図面の簡単な説明】
【００１２】
【図１】（ａ）図は、実施形態１の展開状態の斜視図、（ｂ）図は変形例の一部を示す斜視図である。
【図２】は、同上の巻き途中の斜視図である。
【図３】は、同上の巻き留め前の斜視図である。
【図４】は、同上の巻き留め後の側面図である。
【図５】は、携行時の側面図である。
【図６】（ａ）図は、実施形態２の展開状態の斜視図、（ｂ）図は（ａ）図の一部拡大平面図である。
【図７】は、同上の巻き途中の斜視図である。
【図８】は、同上の巻き留め前の斜視図である。
【図９】（ａ）図から（ｄ）図は、差し込み片の差し込み過程を示す説明図である。
【図１０】は、同上の巻き留め後の側面図である。
【図１１】は、実施形態３の一部省略平面図である。
【図１２】は、同上の使用時の一部省略平面図である。
【発明を実施するための形態】
【００１３】  以下この発明の実施の形態を添付図面に基づいて説明する。
【００１４】  ［実施形態１］
図１から図５に示した実施形態１の書画等のホルダーは、合成樹脂製の可撓性のシート１１と、シート１１とは別の部材で形成された留めバンド１２とからなるものである。シート１１は、その内面に書画等１３を重ね、その書画等１３を内側にして、図２に示したように円筒状に巻くことができる程度の柔軟性を有する。また、その大きさは、書画等１３の四辺の外側に適宜な余裕をもつ程度に形成される。
【００１５】  図１（ａ）に示したように、シート１１の巻き始め側Ａの端部の２個所のコーナ部には、書画等１３の２個所のコーナ部を差し込で保持する保持用スリット１４がシート１１の巻き始め側端辺２４ａに対し４５度の傾斜をもって形成される。保持用スリット１４は、書画等１３のサイズに対応して３本平行に形成される。保持用スリット１４の両端部の小円１５は、当該保持用スリット１４に作用する応力を分散させシート１１が裂けることを防止するために設けられる。後述の他のスリットの両端の小円１５も同様である。
【００１６】  前記の保持用スリット１４を設けることに代えて、図１（ｂ）に示したように、巻き始め側の端辺に平行な内向きの折り癖１６を介して折り曲げた保持片１７を設け、その保持片１７の内側に書画等１３の一端部を挟むようにしてもよい。保持片１７の両端部をシート１１に溶着して袋状にしてもよい。
【００１７】  前記シート１１の巻き終わり側Ｂに接近した位置において、その巻き終わり側端辺２４ｂに平行な係止用スリット２１が設けられる。この係止用スリット２１は、後述のように、これを開いて鞄１８の提げ手１９に係止するためのものであり（図５参照）、提げ手１９に無理なく通せるように、その長さは提げ手１９の取付け基部間の長さに応じた大きさに形成される。
【００１８】  前記の書画等１３を広げる範囲は、巻き始め側端辺２４ａから係止用スリット２１の範囲内に設定される。
【００１９】  前記係止用スリット２１は、図２及び図３に示したように、シート１１の内側（巻き始め側Ａ）に属する内側切り目線２１ａと、外側（巻き終わり側Ｂ）に属する外側切り目線２１ｂとにより形成される。前記の留めバンド１２の一端の固定端部は、内側切り目線２１ａの中間部分において、その切り目線２１ａよりさらに内側のシート１１の外面に接着固定される（図１及び図２参照）。
【００２０】  前記留めバンド１２の他端の自由端部側は、スリット２１を通ってシート１１の内面側（書画等１３を広げる面側）に引き出され、シート１１の巻き終わり側端辺２４ｂを越えて外部に延び出す長さを有する。その長さは、シート１１の円筒巻き部２３（図３参照）の全周を越える長さに形成される。自由端部の内面に面ファスナー２２（図４参照）の一方のファスナー要素２２ａが接着され、固定端部の外面に他方の面ファスナー要素２２ｂが接着される。
【００２１】  実施形態１の書画等のホルダーは、以上のようなものであり、これを使用するに際しては、図１（ａ）に示したように、シート１１の内面の前記保持用スリット１４と係止用スリット２１の間の範囲内に書画等１３を広げ、書画等１３の巻き始め側の両端コーナ部を左右２か所の保持用スリット１４、１４に差し込んでシート１１に保持させる。図１（ｂ）の場合は、保持片１７の内側へ書画等１３の巻き始め側の端部を挟み込む。
【００２２】  その上で、図２に示したように、シート１１を外側、書画等１３を内側にして円筒状に巻き、円筒巻き部２３を形成する。係止用スリット２１の近くに達すると、図３に示したように、留めバンド１２を円筒巻き部２３の周りに巻き付け、面ファスナー要素２２ａ、２２ｂ相互を接合させる。これによりシート１１の巻き終わり側Ｂの端部が留められ（図４参照）、書画等１３は、円筒巻き部２３の内部に隠れる。
【００２３】  前記の巻き留め状態において、円筒巻き部２３から巻き終わり側端辺２４ｂまでの間のシート１１は円筒巻き部２３の接線方向に立ち上がった状態にある（図４参照）。係止用スリット２１の内側切り目線２１ａは留めバンド１２により円筒巻き部２３側に引っ張られ、外側切り目２１ｂから引き離されるため、係止用スリット２１は大きく開口される。
【００２４】  その大きく開口したスリット２１に鞄１８等の外側の提げ手１９を通すことにより、図４及び図５に示したように、書画等１３を巻いた円筒巻き部２３が提げ手１９に係止され、鞄１８等の外側面に沿って水平に支持される。従って、円筒状に巻いたシート１１を手に持つことなく、鞄１８のみを持つことにより携行することができる。
【００２５】  なお、提げ手１９等に係止させることなく、円筒巻き部２３を留めバンド１２によって留めた状態で、円筒巻き部２３、シート１１の巻き終わり側端部２４ｂ近辺を把持して携行してもよい。
【００２６】  ［実施形態２］
次に、図６から図１０に示した実施形態２の書画等のホルダーについて説明する。実施形態２の書画等のホルダーは、１枚の可撓性のシート１１のみによって構成されるものであり、前記実施形態１のような別部材の留めバンド１２を用いることはない。留めバンド１２に相当する差し込み片２５は、後述のように、シート１１の一部を切り抜いて形成される。
【００２７】  シート１１の巻き始め側Ａの２個所のコーナ部に差し込み用の３本のスリット１４が４５度の傾斜をもって形成される点は前記の場合と同様である。また、図示を省略しているが、スリット１４に代えて、図１（ｂ）のような折り曲げ保持片１７を設けてもよい。
【００２８】  前記シート１１の巻き終わり側端辺２４ｂに接近した位置において、その端辺２４ｂに沿った係止用スリット２１が設けられる。この係止用スリット２１によって、鞄等の提げ手１９を挿通させる開口を形成する点、その係止用スリット２１が、シート１１の内側（巻き始め側Ａ）に属する内側切り目線２１ａと、外側（巻き終わり側Ｂ）に属する外側切り目線２１ｂとにより形成される点も、実施形態１の場合と同様である。
【００２９】  差し込み片２５の切り抜き形状は、係止用スリット２１の切り込み形状により特定されるが、この実施形態２の場合は、図６（ｂ）に示したように、両方の切り目線２１ａ、２１ｂの形状が一部異なる（係止用スリット２１の一部に切り抜き部３０ａ、３０ｂが形成されている。）ので、差し込み片２５の形状を主として内側切り目線２１ａの形状によって特定し、外側切り目線２１ｂについては相違点を説明することにより、留めバンド２５の切り抜き形状を特定する。
【００３０】  前記内側切り目線２１ａのうち巻き終わり側端辺２４ｂに平行な部分は中央部分（後述の差し込み片２５の基部２６の部分）で一定の間隔をおいて左右両側に分けられ、その中央部分を挟んで直角外向き（巻き終わり側Ｂの向き）に屈曲形成される。その屈曲部分によって、差し込み片２５の基部２６が形成される。基部２６の左辺は左側内側切り目線２１ａにより、また右辺は右側内側切り目線２１ａにより形成される。
【００３１】  前記の左側内側切り目線２１ａは、基部２６の上端において左方に直角に屈曲され、さらに半円形に湾曲されることによって、差し込み片２５の半円形の後端部２７が形成される。前記右側内側切り目線２１ａは、基部２６の上端点２６ａにおいて直角より幾分小さい鋭角θ（８０度から８５度程度）で右方に屈曲され、さらに三角形に尖った先端部２９を形成する。先端部２９を形成した右側内側切り目線２１ａは、端辺２４と平行に後端方向に延び、前記の後端部２７を形成する左側内側切り目線２１ａに連続する。これにより差し込み片２５が形成される。
【００３２】  いま仮に、前記の内側切り目線２１ａが係止用スリット２１と同じ形状であるとし、その形状によって切り抜かれた差し込み片２５をそのまま切り起こしたとすると、切り起こした後に残る開口の形状が基部２６の左右両側で複雑な形状となる。
【００３３】  機能的にはこのような形状でも差支えないが、この実施形態２においては、主としてデザイン的な配慮から、左側小円１５から出発した左側の外側切り目線２１ｂは、基部２６に達する手前で円弧を描いて立ち上がり、後端部２７を形成する内側切り目線２１ａに点ａにおいて合致させている。同様に、右側の小円１５から出発した右側の外側切り目線２１ｂも基部２６に達する手前で円弧を描いて立ち上がり、先端部２９を形成する内側切り目線２１ａに点ｂにおいて合致させている。
【００３４】  前記の点ａから、右回りに点ｂに達する部分は、内側切り目線２１ａと外側切り目線２１ｂとが合致することにより係止用スリット２１の一部を形成する。しかし、基部２６の左右においては、外側切り目線２１ｂが湾曲して点ａ及び点ｂに達する部分と内側切り目線２１ａに囲まれた部分とにより、異形の切り抜き部３０ａ、３０ｂが形成される。これらの切り抜き部３０ａ、３０ｂが形成されることにより、基部２６及び差し込み片２５を起こした後に生じる係止用スリット２１によって形成される開口の形状は、比較的簡単な形状となる（図１０参照）。
【００３５】  前記基部２６からシート１１の内方に寄ったシート１１の中央部分において、数本の同長平行な差し込み用スリット３１が傾斜状態に形成される。この差し込み用スリット３１は、図６（ａ）（ｂ）に示したように、向って左側の端部を基準にして右側の端部が基部２６から離れるように約４５度の角度で傾斜する。各差し込み用スリット３１の右端の位置は、図６（ｂ）において、巻き終わり側端辺２４ｂに直角の基準線Ｘで示したように、基部２６の右側辺の延長上に在る。前記差し込み用スリット３１の長さは、差し込み片２５を挿通し得る大きさに形成される。
【００３６】  なお、前記後端部２７は、差し込み片２５を後述の差し込み用スリット３１に差し込み際に、当該差し込み片２５を指先で把持する面積が増えるため、差し込み操作がし易い利点があるが、差し込み片２５を差し込み用スリット３１に差し込んで係止するためには、必ずしも必要な部分ではない。後端部２７を省略する場合は、差し込み片２５は基部２６と先端部２９とによって逆Ｌ字形に形成される。
【００３７】  実施形態２の書画等のホルダーは、以上のようなものであり、これを使用するに際しては、図６（ａ）に示したように、内面を上向きに広げたシート１１上面において、係止用スリット２１よりも巻き始め側Ａに寄った範囲に書画等１３を広げ、その巻き始め側の両端コーナ部を左右２か所の差し込みスリット１４、１４に差し込む。その上で、シート１１を外側、書画等１３を内側にして円筒状に巻く（図７参照）。書画類等１３は円筒巻き部２３の内部に隠れる。
【００３８】  係止用スリット２１の近くに達すると、図８に示したように、差し込み片２５を起こして、基部２６を含め全体を円筒巻き部２３側に湾曲させ、表裏反転させる。円筒巻き部２３の径に適合した位置の差し込み用スリット３１を選択して、先端部２９を差し込む。
【００３９】  ここに「円筒巻き部２３の径に適合した位置の差し込み用スリット３１」というのは、差し込み片２５の先端部２９を差し込む差し込み用スリット３１の位置が係止用スリット２１に近すぎると差し込み片２５に弛みが生じ、円筒巻き部２３の径がそれ自身の弾性で拡径したり、逆に遠すぎると留めバンド２５の留めが不完全になることから、このような不都合の生じないような適宜な位置にある差し込み用スリット３１をいう。その位置の目安は、差し込み片２５を円筒巻き部２３の外周面上に折り返した際に、基部２６の上端点２６ａ（図６（ｂ）参照）と一致する右端の小円１５を有する差し込み用スリット３１がこれに相当する（後述の図９（ｃ）（ｄ）参照）。
【００４０】  図９（ａ）から（ｄ）は、差し込み片２５の先端部２９が次第に深く差し込まれて行く順を示している。即ち、図９（ａ）は、先端部２９が差し込み用スリット２１の右端を支点に、基部２６の湾曲に伴う復元弾性によって若干反時計方向に回転した状態、同（ｂ）はさらに前記の復元弾性によって同方向に回転しつつ一層深く差し込まれた状態を示す。
【００４１】  同（ｃ）は、差し込み片２５全体が端辺２４（図１０参照）と平行に回転して、後端部２７を残して先端部２９のほぼ全体が深く差し込まれた状態を示す。同（ｄ）は、最終的に深く差し込んで、内側切り目線２１ａが円筒巻き部２３に接し、差し込み片２５の基部２６の上端点２６ａが差し込み用スリット３１の右端の小円１５と係合して、基部２６の復元弾性も無くなり安定状態となった場合を示す。
【００４２】  前記図９（ｄ）の安定状態において、差し込み片２５の先端部２９は、基部２６に対し前記の鋭角θをもって差し込み用スリット３１に差し込まれるので、基部２６に左向きの引き抜き力Ｆ１、上向きの引き抜き力Ｆ２が作用しても、先端部２９は基部２６の上端点２６ａの角部に係合し、大きな引き抜き抵抗を発生する。このため、先端部２９が差し込み用スリット３１から抜け出すことが防止される。これによって、円筒巻き部２３の巻き終わり部が安定よく留められる。
【００４３】  一方、円筒巻き部２３から巻き終わり側端辺２４ｂまでシート１１は円筒巻き部２３の接線方向に立ち上がる（図１０参照）。このため、係止用スリット２１は、差し込み片２５の抜けた部分と併せて大きく開口される。
【００４４】  その大きく開口した係止用スリット２１に鞄等の提げ手１９を通すことにより、書画等１３を巻いた円筒巻き部２３が提げ手１９に係止される。これにより、鞄等の側面に沿って水平に支持され、携行可能な状態となる。但し、提げ手１９等に係止することなく、手で直接把持して携行してもよい。
【００４５】  ［実施形態３］
図１１及び図１２に示した実施形態３の場合は、書画等１３を携行したのち、自宅等でシート１１とともに書画等１３を保管する場合に便利な構造である。即ち、書画等１３を円筒状に巻いて鞄等の提げ手１９に係止して携行したり、またそのまま直接手で把持して携行したりするようにした点で、基本的には、前記実施形態２の場合（図６から図１０参照）と同様である。ただし、主として形状の簡素化を図るために、左側小円１５から出発した左側の外側切り目線２１ｂは、一定の傾斜角をもって差し込み片２５の後端部２７の上端の点ａに達する。同様に、右側の小円１５から出発した右側の外側切り目線２１ｂは、一定の傾斜角をもって先端部２９の先端の点ｂに達する。これにより、左右の異形の切り抜き部３０ａ、３０ｂの形状が簡素化かされる。
【００４６】  前記実施形態２の場合と大きく相違する点は、第一に前記差し込み片２５の左右両側に対称形の差し込み係止片３２及びこれに対応して巻き終わり側端辺２４ｂ側に左右対称形の係止用スリット３３を設けた点、書画等１３の差し込み片２５側端辺の左右のコーナ部を差し込んでこれを保持する傾斜状の保持スリット１４ａを設けた点である。
【００４７】  即ち、左右の差し込み係止片３２は、前記差し込み片２５の左右両端部とシート１１の各側辺３４との間において当該シート１１を切り起こすことにより設けられる。各差し込み係止片３２は、前記側辺３４に並行する２本の切目３５ａ、３５ｂによって形成された基部３６、その基部３６の前記巻き始め側端辺２４ａ側の端部から当該側辺３４側にＬ形又は逆Ｌ形に屈曲した差し込み部３７とにより形成される。差し込み部３７の先端は三角状に尖っている。前記の切目３５ａの端部から差し込み部３７側へ屈曲するコーナ部の角度αは、図示のように、差し込み部３７側の切目が傾斜していることにより、８０°〜９５°程度の鋭角となっている。
【００４８】  前記の係止用スリット３３は、前記切目３５ａの上方（巻き終わり側端辺２４ｂ側）に一端部があり、その一端部から切目３５ｂの上方を通って３０°の傾斜をもって巻き終わり側端辺２４ｂに接近する。その長さは、基部３６の２倍程度の長さをもって他端部に達している。
【００４９】  次に、差し込み係止片３２、係止用スリット３３及び保持用スリット１４ａの作用について説明する。これらは、書画等１３を携行するときは何らの作用を行わないが、書画等１３を保持させたシート１１を複数牧綴じた状態で保管する際に機能を発揮する。即ち、複数の書画等１３の保管時は、１枚目の書画等１３の四隅を平坦に拡げた１枚目のシート１１の保持用スリット１４、１４ａに差し込んで保持させる。同様に２枚目のシート１１にも他の書画等１３を保持させ、１枚目のシート１１上に重ねる。
【００５０】  そのうえで、図１２に示したように、１枚目のシート１１の係止用スリット３３に２枚目のシート１１（２点鎖線参照）の差し込み係止片３２を差し込み、１枚目の差し込み係止片３２と平行になるまで押し込む。これによって、２枚目の差し込み係止スリット３３の一端部に２枚目の差し込み係止片３２の鋭角αのコーナ部が係止される。
【００５１】  同様の係止構造を左右の差し込み係止片３２においてとることにより、１枚目のシート１１の巻き終わり側端辺２４ｂ側で２枚目のシートが綴られ、巻き始め側端辺２４ａ側で自由に開閉し、書画等１３の内容を見ることができる。３枚目のシート１１の差し込み係止片３２も同様にして２枚目のシート１１の係止用スリット３３に係止される。
【００５２】Ａ  巻き始め側
Ｂ  巻き終わり側
１１  シート
１２  留めバンド
１３  書画等
１４、１４ａ  保持用スリット
１５  小円
１６  折り癖
１７  保持片
１８  鞄
１９  提げ手
２１  係止用スリット
２１ａ  内側切り目線
２１ｂ  外側切り目線
２２  面ファスナー
２２ａ、２２ｂ  ファスナー要素
２３  円筒巻き部
２４ａ  巻き始め側端辺
２４ｂ  巻き終わり側端辺
２５  差し込み片
２６  基部
２６ａ  上端点
２７  後端部
２９  先端部
３０ａ、３０ｂ  切り抜き部
３１  差し込み用スリット
３２  差し込み係止片
３３  係止用スリット
３４  側辺
３５ａ、３５ｂ  切目
３６  基部
３７  差し込み部
【図１】
2011088428.tif 000003
【図２】
2011088428.tif 000004
【図３】
2011088428.tif 000005
【図４】
2011088428.tif 000006
【図５】
2011088428.tif 000007
【図６】
2011088428.tif 000008
【図７】
2011088428.tif 000009
【図８】
2011088428.tif 000010
【図９】
2011088428.tif 000011
【図１０】
2011088428.tif 000012
【図１１】
2011088428.tif 000013
【図１２】
2011088428.tif 000014